(57)【要約】【課題】撮像素子の表面や、光学部材の表面等に付着した異物を除去でき、除去した異物をカメラ外部に排出可能なカメラ、清掃部材を提供する。【解決手段】光学ローパスフィルタ５の表面を清掃する清掃カード１００をカメラ本体２の開口部８から挿入する。カメラ本体２内には、ローラ１１，１２及びローラ１４，１５が設けられており、清掃カード１００を光学ローパスフィルタ５の表面に接触させた状態で移動させる。このとき、光学ローパスフィルタ５の表面に付着した異物を除去できる。【選択図】図１
2008017123.tif 000002
【特許請求の範囲】
【請求項１】
撮像素子と、
異物の除去を行う清掃部を有するカード状の清掃部材を前記撮像素子の撮像面に平行な方向に移動可能に案内する案内部と、
を備えるカメラ。
【請求項２】
請求項１に記載のカメラにおいて、
前記清掃部材を外部から挿入可能な開口部と、
前記開口部を塞ぐ蓋部材とを有すること、
を特徴とするカメラ。
【請求項３】
請求項２に記載のカメラにおいて、
前記開口部は、前記清掃部材を排出可能であること、
を特徴とするカメラ。
【請求項４】
請求項１から請求項３までのいずれか１項に記載のカメラにおいて、
前記案内部は、前記清掃部材をカメラに挿入する方向と前記清掃部材をカメラから排出する方向の少なくとも一方において、前記清掃部材を前記撮像素子の表面、又は、前記撮像素子よりも光路の被写体側に設けられた被写体光が通過する透光部材の表面に、前記清掃部が接触するように案内すること、
を特徴とするカメラ。
【請求項５】
請求項１から請求項４までのいずれか１項に記載のカメラにおいて、
前記清掃部材に静電気を帯電させる静電気付与部を有すること、
を特徴とするカメラ。
【請求項６】
請求項１から請求項５までのいずれか１項に記載のカメラにおいて、
前記案内部は、前記清掃部材に付着した異物が前記案内部よりも前記撮像素子側に残らないように、前記異物の排出を促進する異物排出促進部を有すること、
を特徴とするカメラ。
【請求項７】
請求項１から請求項６までのいずれか１項に記載のカメラにおいて、
前記案内部は、前記清掃部材を両側から挟むローラを有すること、
を特徴とするカメラ。
【請求項８】
請求項７に記載のカメラにおいて、
前記異物排出促進部は、前記ローラの円筒面に設けられた溝であること、
を特徴とするカメラ。
【請求項９】
請求項１から請求項８までのいずれか１項に記載のカメラにおいて、
前記案内部には、弾性を有した２つのローラが接触した状態で対向して配置されており、
前記２つのローラは、前記清掃部材が通過可能となるように弾性変形可能であること、
を特徴とするカメラ。
【請求項１０】
請求項１から請求項９までのいずれか１項に記載のカメラにおいて、
前記清掃部材を前記撮像素子の撮像面に平行な方向に駆動する駆動部を有すること、
を特徴とするカメラ。
【請求項１１】
請求項１から請求項１０までのいずれか１項に記載のカメラにおいて、
前記案内部は、前記駆動部の一部を形成すること、
を特徴とするカメラ。
【請求項１２】
請求項１０又は請求項１１に記載のカメラにおいて、
前記駆動部は、前記撮像素子よりも光路の被写体側を通過した前記清掃部材の表裏を反転させる反転部を有し、前記反転部により反転した前記清掃部材を前記撮像素子よりも光路の被写体側を通過させて外部に排出すること、
を特徴とするカメラ。
【請求項１３】
請求項１から請求項１２までのいずれか１項に記載のカメラにおいて、
前記撮像素子よりも光路の被写体側には、異物の侵入を防ぐ密閉領域が設けられており、
前記案内部は、前記清掃部材を案内するとき以外は、前記密閉領域内に異物が侵入しないように閉じていること、
を特徴とするカメラ。
【請求項１４】
カメラの案内部に案内されて撮像素子の撮像面に平行な方向に移動して異物の除去を行う清掃部を有するカード状の清掃部材。
【請求項１５】
請求項１４に記載の清掃部材において、
前記清掃部は、前記撮像素子に対する移動方向に対して間隔を空けて配置されていること、
を特徴とする清掃部材。
【請求項１６】
請求項１４又は請求項１５に記載の清掃部材において、
前記清掃部は、前記撮像素子の表面に帯電した静電気、及び／又は、前記撮像素子よりも光路の被写体側に設けられた被写体光が通過する透光部材の表面に帯電した静電気、及び／又は、前記異物に帯電した静電気を除去すること、
を特徴とする清掃部材。
【発明の詳細な説明】
【技術分野】
【０００１】
本発明は、撮像素子や光学ローパスフィルタ等、撮影光束が通過する部分に付着した異物を除去するカメラ、清掃部材に関するものである。
【背景技術】
【０００２】
撮像素子を用いたデジタルカメラでは、レンズ交換時に進入する塵埃や、部品の摩耗により発生する塵埃等の異物が、撮像素子の表面や、光学ローパスフィルタ及び赤外カットフィルタ等の光学部材の表面等に付着し、撮影画像中に写り込んでしまうという問題があった。
このような塵埃等を除去する機構を備えたカメラが、特許文献１に開示されている。
【０００３】
しかし、特許文献１に開示された装置では、清掃動作により撮像素子又は光学部材から除去された塵埃が、カメラ内部に残ってしまう。したがって、使用期間が長くなると、次第に塵埃が蓄積されてしまい、保持しきれなくなった塵埃等が再び撮像素子側へ付着してしまうおそれがあった。
【特許文献１】特開２００６−６０４２８号公報
【発明の開示】
【発明が解決しようとする課題】
【０００４】
本発明の課題は、撮像素子の表面や、光学部材の表面等に付着した異物を除去でき、除去した異物をカメラ外部に排出可能なカメラ、清掃部材を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
請求項１の発明は、撮像素子（６）と、異物の除去を行う清掃部（１０１）を有するカード状の清掃部材（１００）を前記撮像素子の撮像面に平行な方向に移動可能に案内する案内部（１１，１２，１４，１５）と、を備えるカメラ（１）である。
請求項２の発明は、請求項１に記載のカメラにおいて、前記清掃部材（１００）を外部から挿入可能な開口部（８）と、前記開口部を塞ぐ蓋部材（９）とを有すること、を特徴とするカメラ（１）である。
請求項３の発明は、請求項２に記載のカメラにおいて、前記開口部（８）は、前記清掃部材（１００）を排出可能であること、を特徴とするカメラ（１）である。
請求項４の発明は、請求項１から請求項３までのいずれか１項に記載のカメラにおいて、前記案内部（１１，１２，１４，１５）は、前記清掃部材（１００）をカメラに挿入する方向と前記清掃部材をカメラから排出する方向の少なくとも一方において、前記清掃部材を前記撮像素子（６）の表面、又は、前記撮像素子よりも光路の被写体側に設けられた被写体光が通過する透光部材（５）の表面に、前記清掃部（１０１）が接触するように案内すること、を特徴とするカメラ（１）である。
請求項５の発明は、請求項１から請求項４までのいずれか１項に記載のカメラにおいて、前記清掃部材（１００，２００）に静電気を帯電させる静電気付与部を有すること、を特徴とするカメラである。
請求項６の発明は、請求項１から請求項５までのいずれか１項に記載のカメラにおいて、前記案内部（１２）は、前記清掃部材（１００）に付着した異物が前記案内部よりも前記撮像素子側に残らないように、前記異物の排出を促進する異物排出促進部（１２ｄ）を有すること、を特徴とするカメラ（１）である。
請求項７の発明は、請求項１から請求項６までのいずれか１項に記載のカメラにおいて、前記案内部は、前記清掃部材を両側から挟むローラ（１１，１２，１４，１５）を有すること、を特徴とするカメラ（１）である。
請求項８の発明は、請求項７に記載のカメラにおいて、前記異物排出促進部は、前記ローラ（１２）の円筒面に設けられた溝（１２ｄ）であること、を特徴とするカメラ（１）である。
請求項９の発明は、請求項１から請求項８までのいずれか１項に記載のカメラにおいて、前記案内部（１１，１２，１４，１５）には、弾性を有した２つのローラが接触した状態で対向して配置されており、前記２つのローラは、前記清掃部材（１００）が通過可能となるように弾性変形可能であること、を特徴とするカメラ（１）である。
請求項１０の発明は、請求項１から請求項９までのいずれか１項に記載のカメラにおいて、前記清掃部材（１００）を前記撮像素子（６）の撮像面に平行な方向に駆動する駆動部（１１，１２，１４，１５，２０，３０）を有すること、を特徴とするカメラ（１）である。
請求項１１の発明は、請求項１から請求項１０までのいずれか１項に記載のカメラにおいて、前記案内部（１１，１２，１４，１５）は、前記駆動部の一部を形成すること、を特徴とするカメラ（１）である。
請求項１２の発明は、請求項１０又は請求項１１に記載のカメラにおいて、前記駆動部は、前記撮像素子よりも光路の被写体側を通過した前記清掃部材（２００）の表裏を反転させる反転部（３００）を有し、前記反転部により反転した前記清掃部材を前記撮像素子（６）よりも光路の被写体側を通過させて外部に排出すること、を特徴とするカメラである。
請求項１３の発明は、請求項１から請求項１２までのいずれか１項に記載のカメラにおいて、前記撮像素子（６）よりも光路の被写体側には、異物の侵入を防ぐ密閉領域が設けられており、前記案内部（１１，１２，１４，１５）は、前記清掃部材（１００）を案内するとき以外は、前記密閉領域内に異物が侵入しないように閉じていること、を特徴とするカメラ（１）である。
請求項１４の発明は、カメラ（１）の案内部（１１，１２，１４，１５）に案内されて撮像素子（６）の撮像面に平行な方向に移動して異物の除去を行う清掃部（１０１）を有するカード状の清掃部材（１００，２００）である。
請求項１５の発明は、請求項１４に記載の清掃部材において、前記清掃部（１０１）は、前記撮像素子（６）に対する移動方向に対して間隔を空けて配置されていること、を特徴とする清掃部材（１００）である。
請求項１６の発明は、請求項１４又は請求項１５に記載の清掃部材において、前記清掃部（１０１）は、前記撮像素子（６）の表面に帯電した静電気、及び／又は、前記撮像素子よりも光路の被写体側に設けられた被写体光が通過する透光部材（５）の表面に帯電した静電気、及び／又は、前記異物に帯電した静電気を除去すること、を特徴とする清掃部材（１００）である。
なお、符号を付した構成は適宜改良してもよい。また、少なくとも一部を他の構成物に代替してもよく、その配置について特に限定のない構成要件は、実施形態で開示した配置に限らない。
【発明の効果】
【０００６】
本発明によれば、異物の除去を行う清掃部を有するカード状の清掃部材を撮像素子の撮像面に平行な方向に移動可能に案内する案内部を備えるので、異物の除去を容易に行える。また、開口部から清掃部材を排出することにより、異物をカメラ内に残すことなく、カメラ外部に排出できる。
【発明を実施するための最良の形態】
【０００７】
以下、図面等を参照しながら、本発明の実施の形態について、更に詳しく説明する。
【０００８】
（第１実施形態）
図１は、第１実施形態のカメラ１の概要を一部透視して示す斜視図である。
図２は、第１実施形態のカメラ１を側面から見た図である。
なお、図１及び図２を含め、以下に示す各図には、説明と理解を容易にするために、撮影光学系の光軸をＺ軸としてＸＹＺ直交座標系を設けた。この座標系では、光軸方向の被写体側から見たときの右側をＸプラス方向とし、カメラを正位置としたときの上方をＹプラス方向とし、光軸方向の被写体側をＺプラス方向とした。ここで、正位置とは、撮影光学系の光軸が水平であり、かつ、撮影画面の長手方向が水平方向となるカメラの姿勢を示すものとする。
カメラ１は、カメラ本体２に対してレンズ鏡筒３を着脱自在（レンズ交換可能）な一眼レフタイプのデジタルカメラである。
カメラ本体２には、シャッタユニット４、光学ローパスフィルタ５、撮像素子６、クイックリターンミラー７、開口部８、蓋部材９、ローラ１１，１２，１４，１５、駆動ギヤ列２０等が設けられている。
【０００９】
シャッタユニット４は、撮像素子に到達する撮影光束を通過させたり遮断したりするシャッタ及びその駆動部を備えた部分であり、撮像素子と後述のクイックリターンミラー７との間に配置されている。
光学ローパスフィルタ５は、撮影光束が通過する光路中にあって、撮像素子よりも光路の被写体側に設けられ、被写体光が通過する透光部材である。光学ローパスフィルタ５を通過させることにより、撮像素子６に設けられたカラーフィルタに起因する色モアレを防止している。また、光学ローパスフィルタ５内には、不要な赤外領域の光を低減する赤外カットフィルタが重ねて設けられている。
【００１０】
撮像素子６は、光学ローパスフィルタ５を通過した撮影光束が撮像面に結像され、その像の情報を電気信号に置き換える素子である。撮像素子６により得られた画像データには、不図示の処理部によりデジタルデータ化や、必要な画像処理等が行われ、不図示の記憶部に記憶される。
クイックリターンミラー７は、レンズ鏡筒３からの撮影光束を反射して不図示のファインダ光学系方向へ偏向する部材である。クイックリターンミラー７は、撮影前の構図確認中は、図２に示すように撮影用の光路中にあって、撮影光束をファインダ光学系へ導き、撮影時には、カメラ上方（Ｙプラス方向）に跳ね上がり、撮影光束が撮像素子６方向へ進むように退避する。
【００１１】
開口部８は、カメラ本体２のＸプラス側端部に設けられた孔である。開口部８は、通常のカメラ使用時には、蓋部材９により塞がれており、後述の清掃動作を行うときには、蓋部材９を空けて後述の清掃カード１００が挿入される。
蓋部材９は、開口部８を塞ぐ蓋であり、ヒンジ９ａを中心に回転して開閉する。蓋部材９は、ゴムにより形成されている。なお、本実施形態では、ヒンジ９ａを設けているが、ゴムの弾性を利用して、ヒンジを設けなくてもよい。
【００１２】
ローラ１１，１２，１４，１５は、後述の清掃カード１００の移動を案内する案内部を形成する部材である。
ローラ１１とローラ１２とは、連結部材１３により両者の回転中心が連結された状態で回転可能となっている。また、ローラ１１とローラ１２とは、連結部材１３により連結された状態で、カメラ本体２に対してＺ軸方向に所定の範囲内で移動可能なように支持されている。ローラ１１及びローラ１２のＹマイナス側の端部には、ギヤ部１１ａ，１２ａが設けられ、ギヤ部１１ａ，１２ａよりもＹプラス側には、ゴムや発泡ウレタン等の弾性部材により形成された弾性部１１ｂ，１２ｂがそれぞれ形成されている。
【００１３】
ローラ１１とローラ１２と同様に、ローラ１４とローラ１５とは、連結部材１６により両者の回転中心が連結された状態で回転可能となっている。また、ローラ１４とローラ１５とは、連結部材１６により連結された状態で、カメラ本体２に対してＺ軸方向に移動可能なように支持されている。ローラ１４及びローラ１５のＹマイナス側の端部には、ギヤ部１４ａ，１５ａが設けられ、ギヤ部１４ａ，１５ａよりもＹプラス側には、弾性部材により形成された弾性部１４ｂ，１５ｂがそれぞれ形成されている。
ローラ１１，１２は、撮像素子６よりもＸプラス側に配置され、ローラ１４，１５は、撮像素子６よりもＸマイナス側に配置され、ローラ１１，１２とローラ１４，１５とは、Ｘ軸方向で対向するように配置されている。
【００１４】
駆動ギヤ列２０は、カメラ本体２内のＹマイナス側に配置されており、ローラ１１のギヤ部１１ａに回転駆動力を伝える歯車列である。駆動ギヤ列２０は、ギヤ２１，２２，２３を有している。
ギヤ２１は、不図示のモータの出力軸に接続されており、ギヤ２２と噛み合っている。ギヤ２１の回転力は、ギヤ２２へ伝わり、ギヤ２２に噛み合うギヤ２３に伝わった後、ギヤ２３と噛み合うギヤ部１１ａに伝わり、ローラ１１が回転駆動される。
駆動ギヤ列３０は、カメラ本体２内のＹマイナス側に配置されており、ローラ１４のギヤ部１４ａに回転駆動力を伝える歯車列である。駆動ギヤ列３０は、ギヤ３１，３２を有するとともに、ギヤ３１とギヤ３２との間に設けられた不図示の複数のギヤを有している。ギヤ３１は、ギヤ２１に噛み合っている。ギヤ２１の回転力は、ギヤ３１へ伝わり、不図示のギヤを伝わった後、ギヤ３２に伝わり、ギヤ３２と噛み合うギヤ部１４ａに伝わり、ローラ１４が回転駆動される。
【００１５】
清掃カード１００は、光学ローパスフィルタ５の表面に付着した塵埃等を除去する清掃動作時に開口部８から挿入する清掃部材である。
図３は、清掃カード１００の清掃面１００ａ側から見た斜視図である。
清掃カード１００の清掃面１００ａには、清掃部１０１が図３中に矢印Ａで示した送り方向（カメラ１に挿入された後は、Ｘ軸方向）に間隔を空けて多数配置されている。清掃部１０１は、例えば、微細な起毛処理を施したり、弱い粘着性を有した部材を貼付けたりして、清掃動作時に光学ローパスフィルタ５の表面に接触して、光学ローパスフィルタ５の表面に付着した塵埃等を除去可能なようになっている。また、本実施形態の清掃部１０１は、光学ローパスフィルタ５の表面に帯電した静電気、及び、光学ローパスフィルタ５の表面に付着した塵埃等に帯電した静電気を除電する作用を有している。さらに、本実施形態の清掃部１０１は、光学ローパスフィルタ５の表面に接触して移動しても、光学ローパスフィルタ５の表面を傷つけることのないような表面処理が行われている。
なお、本実施例では、清掃部１０１は、同一の清掃部を多数並べて配置しているが、特性の異なる（塵埃の除去を行う作用の異なる）複数種類の清掃部を適宜配置してもよい。
【００１６】
次に、第１実施形態のカメラの清掃動作について説明する。
清掃動作を行うときには、蓋部材９を開けて、清掃カード１００を清掃面１００ａがカメラ背面側（Ｚプラス側）となるようにして、開口部８から挿入する。このとき、不図示のセンサにより清掃カード１００が挿入されたことを検知すると、カメラの不図示の制御部が、清掃動作を開始する。なお、この清掃動作の開始は、センサによらず、操作部材を操作する等して、撮影者が指示を与えることにより開始させてもよい。
本実施形態の清掃動作では、清掃カード１００が挿入方向（Ｘマイナス方向）に移動する状態と、清掃カード１００が排出方向（Ｘプラス方向）に移動する状態とでは、動作が異なるので、以下、これら２つの状態に分けて説明する。
図４は、本実施形態のカメラの清掃動作を、駆動ギヤ列２０による動作を中心に示した図である。
図５は、本実施形態のカメラの清掃動作を、清掃カード１００の動作を中心に示した図である。
図４（ａ）及び図５（ａ）は、清掃カード１００が挿入方向に移動する状態を示し、図４（ｂ）及び図５（ｂ）は、清掃カード１００が排出方向に移動する状態を示している。
【００１７】
（清掃カード１００が挿入方向に移動する状態）
清掃動作が開始すると、ギヤ２１が設けられている不図示のモータが右回転する（図４における右回転、以下、同様）ことにより、ギヤ２１が右回転する。ギヤ２１が右回転すると、ギヤ２２が左回転し、ギヤ２３が右回転する。ギヤ２３が右回転すると、ギヤ１１ａが左回転する。ここで、ギヤ２３は、ギヤ１１ａのＸマイナス側に配置されているので、ギヤ１１ａを駆動するときにギヤ１１ａのギヤ歯面に対してＺプラス方向に力が作用する。ローラ１１とローラ１２とは、連結部材１３により連結され、Ｚ方向に移動可能になっているので、ギヤ２３から回転駆動力を得たローラ１１とローラ１２とは、Ｚプラス方向に移動した状態で、ローラ１１が左回転し、ローラ１２が右回転する。
【００１８】
また、ギヤ２１が右回転すると、ギヤ３１が左回転し、駆動ギヤ列３０の不図示のギヤを介してギヤ３２が右回転する。ギヤ２３は、ギヤ１４ａのＸマイナス側に配置されているので、先に示したローラ１１及びローラ１２と同様に、Ｚプラス方向に移動した状態で、ローラ１４が左回転し、ローラ１５が右回転する。
以上の動作により、開口部８から挿入された清掃カード１００は、Ｘマイナス方向に移動する。なお、ローラ１１及びローラ１２の弾性部１１ｂ，１２ｂは、清掃カード１００が挿入されていない状態では、密着しており、開口部８側からのゴミ等の進入を防いでいるが、清掃カード１００が挿入されると、弾性部１１ｂ，１２ｂが弾性変形することにより、ローラ１１及びローラ１２の回転中心の間隔が変わらなくても、清掃カード１００が通過できる。
清掃カード１００が挿入方向（Ｘマイナス方向）に移動するときには、上述したように、ローラ１１及びローラ１２と、ローラ１４及びローラ１５とが、Ｚプラス方向に移動しているので、清掃カード１００の清掃面１００ａは、光学ローパスフィルタ５の被写体側の表面に接触することなく挿入方向（Ｘマイナス方向）に移動する。
【００１９】
（清掃カード１００が排出方向に移動する状態）
清掃カード１００がローラ１４及びローラ１５に挟まれる位置まで到達すると、不図示のセンサにより清掃カード１００が検出される。清掃カード１００がローラ１４及びローラ１５に挟まれる位置まで到達したことが検出されると、清掃カード１００を挿入方向に移動するときと逆方向に不図示のモータが回転し、ギヤ２１が左回転する。ギヤ２１が左回転すると、ギヤ２２が右回転して、ギヤ２３が左回転する。ここで、ギヤ２３は、ギヤ１１ａのＸマイナス側に配置されているので、ギヤ１１ａを駆動するときにギヤ１１ａのギヤ歯面に対してＺマイナス方向に力が作用する。ローラ１１とローラ１２とは、連結部材１３により連結され、Ｚ方向に移動可能になっているので、ギヤ２３から回転駆動力を得たローラ１１とローラ１２とは、Ｚマイナス方向に移動した状態で、ローラ１１が右回転し、ローラ１２が左回転する。
【００２０】
また、ギヤ２１が左回転すると、ギヤ３１が右回転し、駆動ギヤ列３０の不図示のギヤを介してギヤ３２が左回転する。ギヤ２３は、ギヤ１４ａのＸマイナス側に配置されているので、先に示したローラ１１及びローラ１２と同様に、Ｚマイナス方向に移動した状態で、ローラ１４が右回転し、ローラ１５が左回転する。
以上の動作により、清掃カード１００は、Ｘプラス方向に移動する。
清掃カード１００が排出方向（Ｘプラス方向）に移動するときには、上述したように、ローラ１１及びローラ１２と、ローラ１４及びローラ１５とが、Ｚマイナス方向に移動しているので、清掃カード１００の清掃面１００ａは、光学ローパスフィルタ５の被写体側の表面に接触したまま排出方向（Ｘプラス方向）に移動し、光学ローパスフィルタ５の表面に付着した塵埃等の異物を清掃面１００ａに付着させて、光学ローパスフィルタ５の表面を清掃する。本実施形態では、清掃カード１００の清掃面１００ａは、光学ローパスフィルタ５の被写体側の表面に接触して清掃を行うので、塵埃等の固形の異物に加えて、例えば、シャッタユニット４等のカメラ内部の作動部分から発生する油脂等による汚れも清掃できる。
【００２１】
ローラ１１及びローラ１２と、ローラ１４及びローラ１５と、撮像素子５と、シャッタユニット４とに囲まれた空間（図５中に破線で示した範囲）は、異物が混入しないように密閉された領域となっている。
清掃カード１００が排出方向に移動するときには、ローラ１１及びローラ１２を通過して、清掃面１００ａに付着した異物が上述の密閉領域から排出され、カメラの外部へ排出される。しかし、清掃面１００ａに接触する側のローラ１２の表面の状態と異物の種類によっては、異物がローラ１２を通過せずに、光学ローパスフィルタ５側へ脱落して、しまうおそれがある。
【００２２】
そこで、本実施形態では、ローラ１２の表面に異物の排出を促進する部分を設け、清掃面１００ａに付着した異物が撮像素子６側に残らないようにしている。
図６は、ローラ１２を示す斜視図である。
ローラ１２の弾性部１２ｂには、円筒面１２ｃと、円筒面１２ｃに螺旋状に形成された５本の溝１２ｄが設けられている。
図７は、ローラ１１とローラ１２とに挟まれた清掃カード１００が排出方向に移動している状態を示す図である。
清掃カード１００の清掃面１００ａに付着した異物は、溝１２ｄ内に収まりながらローラ１１とローラ１２との間を通過できるので、異物が光学ローパスフィルタ５側へ脱落することを防止できる。
【００２３】
本実施形態によれば、光学ローパスフィルタ５の表面を、清掃カード１００を挿入するだけで、清掃できる。この清掃作業は、従来のように熟練が必要な作業ではないので、一般のカメラ使用者であっても、簡単な操作で清掃することができる。
【００２４】
（第２実施形態）
図８は、第２実施形態のカメラの要部を示す図である。
第２実施形態は、清掃カードの形態と、その駆動機構が第１実施形態のカメラ１と異なる形態である。したがって、前述した第１実施形態と同様の機能を果たす部分には、同一の符号を付して、重複する説明を適宜省略する。
第２実施形態のカメラには、第１実施形態と同様に、光学ローパスフィルタ５よりもＸプラス側に、ローラ１１，１２が設けられている。これらのローラ１１，１２は、第１実施形態と同様にして駆動される。ただし、第１実施形態とは異なり、第２実施形態のローラ１１，１２は、Ｚ軸方向で移動することなく、同じ位置で回転を行う。
【００２５】
また、光学ローパスフィルタ５よりもＸマイナス側には、反転機構３００が設けられている。
反転機構３００は、ローラ３０１，３０２，３０３，３０４、ガイド壁３０５，３０６、進路分岐部材３０７等を有している。
ローラ３０１，３０２，３０３，３０４は、不図示の伝達機構によりローラ１１，１２を駆動するモータとは異なる不図示のモータの回転駆動力が伝えられて回転可能となっている。ローラ３０１とローラ３０２、及び、ローラ３０２とローラ３０３とは、接触して回転する。
ガイド壁３０５，３０６は、清掃カード２００の進路を案内する壁である。
進路分岐部材３０７は、支点３０７ａを中心として回転可能に取り付けられており、不図示のばね部材により図８（ａ），（ｂ）に示す位置側に付勢されている。
【００２６】
第２実施形態のカメラに使用する清掃カード２００は、第１実施形態の清掃カード１００に比べて、弾性が高く、容易に弾性変形をすることができる。また、清掃カード２００は、両面が清掃面となっている点が、第１実施形態の清掃カード１００とは異なっている。清掃カード２００の片面は、第１の清掃面２００ａとなっており、その反対側の面が第２の清掃面２００ｂとなっている。第２の清掃面２００ｂは、第１の清掃面２００ａとは異なる特性を有している。すなわち、第１の清掃面２００ａは、比較的大きな塵埃の除去に適した面となっており、第２の清掃面２００ｂは、第１の清掃面２００ａよりも小さな塵埃の除去、及び、油脂汚れの除去に適した面となっている。
【００２７】
次に、第２実施形態のカメラの清掃動作について説明する。
開口部８に清掃カード２００が挿入されると、清掃動作が開始し、ローラ１１が左回転し、ローラ１２が右回転して、清掃カード２００がＸマイナス方向に移動する。また、ローラ３０１とローラ３０３が左回転し、ローラ３０２とローラ３０４が右回転する。このとき、清掃カード２００の第１の清掃面２００ａが光学ローパスフィルタ５の被写体側の表面に接触しながら移動して、光学ローパスフィルタ５の被写体側の表面を清掃する。清掃カード２００の先端（進行方向の先端）が進路分岐部材３０７に到達すると、清掃カード２００は、進路分岐部材３０７及びガイド壁３０５に案内されて、ローラ３０１とローラ３０２とに挟まれる位置へ進む。
【００２８】
また、清掃カード２００がローラ１１とローラ１２とに挟まれる位置を通過すると、ローラ１１とローラ１２とを駆動するモータが反転し、ローラ１１が右回転し、ローラ１２が左回転する。
清掃カード２００の先端がローラ３０１とローラ３０２とに挟まれる位置を通過すると、ローラ３０６及びガイド壁３０６に案内されて、清掃カード２００の表裏が反転して、清掃カード２００の先端がＸプラス方向へ進むようになる。清掃カード２００の先端がローラ３０２とローラ３０３とに挟まれる位置を通過すると、清掃カード２００の先端が、進路分岐部材３０７の付勢力に抗して進路分岐部材３０７が支点３０７ａを中心に右回転するように押し退け、光学ローパスフィルタ５側へと進む。清掃カード２００は、Ｘマイナス方向に移動するときとは異なる第２の清掃面２００ｂが光学ローパスフィルタ５の被写体側の表面に接触しながらＸプラス方向に進み、光学ローパスフィルタ５の被写体側の表面を再度清掃する。
そして、清掃カード２００の先端がローラ１１とローラ１２とに挟まれる位置に到達して、開口部８から外部へ排出される。
【００２９】
本実施形態によれば、清掃カード２００は、第１の清掃面２００ａにより光学ローパスフィルタ５を清掃した後、反転機構３００によって表裏反転され、第２の清掃面２００ｂにより再度光学ローパスフィルタ５を清掃するので、光学ローパスフィルタ５の被写体側の表面に付着した異物を除去できる確率がより高くなり、清掃効果を高めることができる。
【００３０】
（変形形態）
以上説明した実施形態に限定されることなく、種々の変形や変更が可能であって、それらも本発明の均等の範囲内である。
（１）各実施形態において、清掃カードが光学ローパスフィルタに接触して清掃を行う例を示したが、これに限らず、例えば、清掃カードに静電気を帯電させる静電気付与部を設けて、清掃カードに帯電した静電気により非接触で塵埃を吸着してもよい。
【００３１】
（２）各実施形態において、光学ローパスフィルタの表面を清掃する例を示したが、これに限らず、撮像素子の表面を直接清掃してもよいし、光学ローパスフィルタ以外の透光部材（撮像素子よりも光路の被写体側に設けられた被写体光が通過する部材）の表面を清掃するものでもよい。
【図面の簡単な説明】
【００３２】
【図１】第１実施形態のカメラ１の概要を一部透視して示す斜視図である。
【図２】第１実施形態のカメラ１を側面から見た図である。
【図３】清掃カード１００の清掃面１００ａ側から見た斜視図である。
【図４】本実施形態のカメラの清掃動作を、駆動ギヤ列２０による動作を中心に示した図である。
【図５】本実施形態のカメラの清掃動作を、清掃カード１００の動作を中心に示した図である。
【図６】ローラ１２を示す斜視図である。
【図７】ローラ１１とローラ１２とに挟まれた清掃カード１００が排出方向に移動している状態を示す図である。
【図８】第２実施形態のカメラの要部を示す図である。
【符号の説明】
【００３３】
１：カメラ、２：カメラ本体、３：レンズ鏡筒、４：シャッタユニット、５：光学ローパスフィルタ、６：撮像素子、７：クイックリターンミラー、８：開口部、９：蓋部材、１１，１２，１４，１５：ローラ、２０：駆動ギヤ列
【図１】
2008017123.tif 000003
【図２】
2008017123.tif 000004
【図３】
2008017123.tif 000005
【図４】
2008017123.tif 000006
【図５】
2008017123.tif 000007
【図６】
2008017123.tif 000008
【図７】
2008017123.tif 000009
【図８】
2008017123.tif 000010